(57)【要約】【課題】森林などに生息する野生動物を追い込んで、効率的に捕獲できるようにした野生動物追い込みシステムを提供する【解決手段】光や音などを出力する警報装置２と、当該警報装置２から出力される光や音をコントロールするコントローラー３とを備え、一方が開放するような追い込み領域５を形成できるように複数の警報装置２を設置し、野生動物が追い込み領域５に侵入したときに、開放領域６に野生動物を追い込むように光や音を前記コントローラー３で制御できるようにする。また、この警報装置２に検知センサー２６を設けて野生動物が追い込み領域５に侵入したことを検知するとともに、それぞれの警報装置２に設けられた通信部２５を用いて隣接する警報装置２を制御する。【選択図】図１
2015035979.tif 000002
【特許請求の範囲】
【請求項１】
光や音などを出力する警報装置と、
当該警報装置から出力される光や音をコントロールするコントローラーとを備え、
開放領域に野生動物を追い込むような追い込み領域を形成する複数の警報装置を設置し、
野生動物が追い込み領域に侵入したときに、前記開放領域に野生動物を追い込むように光や音を前記コントローラーで制御するようにしたことを特徴とする野生動物追い込みシステム。
【請求項２】
前記警報装置が、
前記コントローラーと、
隣接する警報装置から送信されてきた制御信号を送受信する通信部を備え、
隣接する警報装置から送信されてきた制御信号に基づいて光や音を前記コントローラーで制御して出力するようにした請求項１に記載の野生動物追い込みシステム。
【請求項３】
前記警報装置が、野生動物の侵入を検知する検知センサーを備え、
前記追い込み領域内に野生動物が侵入したことを検知した後、一定時間後に前記警報装置から光や音を出力するようにした請求項１に記載の野生動物追い込みシステム。
【請求項４】
前記警報装置が、野生動物の接近を検知する検知センサーを備え、
前記追い込み領域内の野生動物が接近したことを検知した場合、前記警報装置から光や音を出力するようにした請求項１に記載の野生動物追い込みシステム。
【発明の詳細な説明】
【技術分野】
【０００１】
本発明は、山や森林などに生息する鹿や猪などの野生動物を一定の方向に追い込んで捕獲できるようにした野生動物追い込みシステムに関するものである。
【背景技術】
【０００２】
近年、山や森林などにおいては、鹿や猪などの野生動物が多く繁殖してきており、農作物への被害が多く報告されるようになってきている。このため各種団体では、ハンターなどを用いて野生動物の駆除を行うようにしているが、ハンターの高齢化に伴って、なかなか駆除が進んでいないのが現状である。
【０００３】
一方、野生動物を捕獲する捕獲器などが各種提案されているが（特許文献１など）、このような捕獲器は、餌を入れたゲージなどをけもの道などに設置しておき、そのゲージ内に侵入した野生動物を捕獲できるようにしたものである。このような捕獲器を用いれば、設置した状態で野生動物を捕獲することができ、ハンターが移動しながら野生動物を捕獲する手間が省けるという効果がある。
【先行技術文献】
【特許文献】
【０００４】
【特許文献１】特開２０１２−０５５２３２号公報
【発明の概要】
【発明が解決しようとする課題】
【０００５】
しかしながら、このような捕獲器を用いた場合であっても、次のような問題がある。
【０００６】
すなわち、このような捕獲器（くくり罠、捕獲檻）などは、有害な野生動物の行動範囲を制限するものではないため、その野生動物を田畑から追い払わない限り、農作物を食い荒らしてしまうことになる。また、鹿などの大型な野生動物を捕獲する場合は、ゲージに餌を入れておくことによりゲージの周辺にその野生動物をおびき寄せてしまい、また、警戒してゲージの中に侵入しない場合も多い。
【０００７】
さらには、鹿などのように数頭で移動する野生動物を一度に捕獲することを考えた場合、広大な領域内に効率的にそのようなくくり罠やゲージを設置するのは難しく、ゲージが非常に重く構成されているため、自動車などで運搬できる場所以外の山奥などに設置することが極めて困難となる。
【０００８】
そこで、本発明は、森林などに生息する野生動物を一定の方向へ誘導と追い込みを行うことにより、効率的に捕獲できるようにした野生動物追い込みシステムを提供することを目的とする。
【課題を解決するための手段】
【０００９】
すなわち、本発明は上記課題を解決するために、光や音などを出力する警報装置と、当該警報装置から出力される光や音をコントロールするコントローラーとを備え、開放領域に野生動物を追い込むような追い込み領域を形成する複数の警報装置を設置し、野生動物が追い込み領域に侵入したときに、前記開放領域に野生動物を追い込むように光や音を前記コントローラーで制御するようにしたものである。
【００１０】
このように構成すれば、比較的大型の野生動物や数頭で移動する野生動物などを開放領域に追い込むことで、その方向に構えていたハンターなどによって野生動物を効率的に捕獲することができるようになる。
【００１１】
また、このようなシステムにおいて、前記警報装置に、前記コントローラーと、隣接する警報装置から送信されてきた制御信号を送受信する通信部を備え、隣接する警報装置から送信されてきた制御信号に基づいて光や音を前記コントローラーで制御して出力するようにする。
【００１２】
このように構成すれば、追い込み領域が数百メートルから数キロのような広範囲に及ぶ場合であっても、隣接する警報装置からの電波を受信することによってコントローラーを制御することができ、それぞれにケーブルを接続する必要がなくなる。
【００１３】
さらには、前記警報装置に、野生動物の侵入を検知する検知センサーを備え、前記追い込み領域内に野生動物が侵入したことを検知した後、一定時間後に警報装置から光や音を出力するようにする。
【００１４】
このようにすれば、野生動物が追い込み領域内に侵入した一定時間後に光や音を出力するので、数頭で移動する野生動物などが前記追い込み領域内に入ってから追い込むことができるようになる。
【００１５】
加えて、前記警報装置として、野生動物の接近を検知する検知センサーを備え、前記追い込み領域内に存在する野生動物が接近したことを検知した場合に、前記警報装置から光や音を出力するようにする。
【００１６】
このように構成すれば、追い込み領域から外に出ようとした場合に、光や音を出力するので、野生動物が追い込み領域から出てしまうことを防止することができる。
【発明の効果】
【００１７】
本発明によれば、光や音などを出力する警報装置と、当該警報装置から出力される光や音をコントロールするコントローラーとを備え、開放領域に野生動物を追い込むような追い込み領域を形成する複数の警報装置を設置し、野生動物が追い込み領域に侵入したときに、前記開放領域に野生動物を追い込むように光や音を前記コントローラーで制御するようにしたので、比較的大型の野生動物や数頭で移動する野生動物などを開放領域に追い込むことで、その方向に構えていたハンターなどによって野生動物を効率的に捕獲することができるようになる。
【図面の簡単な説明】
【００１８】
【図１】本発明の一実施の形態を示す野生動物追い込みシステムの概略図
【図２】同形態における警報装置を示す図
【図３】他の実施の形態を示す野生動物追い込みシステムの機能ブロック概略図
【図４】他の実施の形態を示す野生動物追い込みシステムの機能ブロック概略図
【図５】他の実施の形態を示す野生動物追い込みシステムの機能ブロック概略図
【図６】他の実施の形態を示す野生動物追い込みシステムの概略図
【図７】他の実施の形態を示す野生動物追い込みシステムの機能ブロック概略図
【発明を実施するための形態】
【００１９】
以下、本発明の一実施の形態について図面を参照して説明する。
【００２０】
この実施の形態における野生動物追い込みシステム１は、図１や図２に示すように、光や音などを出力する複数の警報装置２と、それらの警報装置２から出力される光や音をコントロールするコントローラー３とを備えて構成される。そして、その複数の警報装置２を、図１に示すように、野生動物が逃げ込みうるような開放領域６を形成できるように設置するとともに、野生動物がその間欠的に設置された領域（以下、「追い込み領域５」という）内に侵入したときに、一方向が開放された領域（以下、「開放領域６」という）に野生動物を追い込めるように光や音をコントローラー３で制御し、ハンターによって捕獲できるようにしたものである。以下、本実施の形態における野生動物追い込みシステム１について詳細に説明する。
【００２１】
まず、警報装置２は、山や森林などに設置できるようにしたものであって、図２に示すように、地面に立設できるようにした杭状部材２１を設け、その上部にスピーカー２２や光源２３などを設けるようにしている。これらのスピーカー２２や光源２３などは、コントローラー３から延びるケーブル４によって電力が供給されるとともに、そのコントローラー３によって音量や光を制御できるようになっている。
【００２２】
一方、コントローラー３は、これら複数の警報装置２に対してケーブル４で接続され、電源供給を行うとともに、それぞれの警報装置２のスピーカー２２からの音量や光源２３からの光を制御できるようになっている。このとき、最も簡単な方法としては、オペレーターでコントローラー３を制御できるようにしておく。具体的には、このコントローラー３には、それぞれの警報装置２に対して音量や光を制御するための操作部３１が設けられており、オペレーターがこの操作部３１を操作することによって、野生動物の位置に応じて各警報装置２の音量や光を制御できるようにする。
【００２３】
このように構成された野生動物追い込みシステム１における、設置方法および使用方法について図１を用いて説明する。
【００２４】
まず、このような野生動物追い込みシステム１を山や森林などの広大な領域に設置する場合、けもの道から野生動物を追い込み領域５に入りやすくするように警報装置２を複数設置する。このように警報装置２を設置する場合、例えば、１０メートル〜１００メートルの間隔で地面に立設させておき、野生動物を追い込むための追い込み領域５を形成しておく。そして、その追い込み領域５の一方を開放させておき、その開放領域６に野生動物を追い込むようにしておく。なお、このような開放領域６を設定する場合、けもの道に沿った方向に設ける場合の他、谷などの傾斜面で挟まれた領域を開放領域６としておくことが好ましい。
【００２５】
そして、このように追い込み領域５や開放領域６を設定した状態で、野生動物の侵入を見張っておき、その追い込み領域５に野生動物が侵入したことをオペレーターが認識した場合に、コントローラー３の操作部３１を操作してスピーカー２２や光源２３などから警報を出力させる。このとき、開放領域６に野生動物を追い込みやすくするように、順次野生動物の後方に存在する警報装置２から音や光を出力し、開放領域６に野生動物を追い込むようにしておく。
【００２６】
そして、その開放領域６に待ち構えていたハンターによって、その野生動物を捕獲できるようにする。
【００２７】
＜第二の実施の形態＞
【００２８】
次に、本発明の第二の実施の形態について説明する。
【００２９】
上記実施の形態では、ケーブル４で警報装置２とコントローラー３とを接続し、電源供給やコントロールなどを行うようにしていたが、この方法では、広大な領域で使用する場合、ケーブル４が数キロに及んでコストが高くなるといった問題が生じる。そこで、第二の実施の形態では、図３の機能ブロック図に示すように、それぞれの警報装置２にバッテリー２４を内蔵させるとともに、通信部２５を介して無線で光や音などを制御できるようにしている。
【００３０】
この実施の形態における警報装置２の内部に設けられるバッテリー２４は、乾電池やボタン電池などの他、太陽光パネルなどが備えられている。ただし、太陽光パネルで電力を供給する場合、山や森林では光量が乏しくなってしまうため、好適には内部に電池などのバッテリー２４を兼用させるようにしておくのが好ましい。
【００３１】
また、この警報装置２には、コントローラー３からの制御信号を無線で送受信するための通信部２５が備えられる。この通信部２５は、警報装置２ごとにＩＤを割り当てておき、そのＩＤごとにコントローラー３から制御信号を送信することによってスピーカー２２からの音量を制御できるようにしたり、あるいは、光源２３からの光を制御したりできるようにしたりしている。なお、ここで、ＩＤとしては、各警報装置２ごとに設定してもよく、あるいは、グループ毎に設定してグループ毎に制御できるようにしてもよい。
【００３２】
そして、第一の実施の形態と同様に、野生動物が追い込み領域５に侵入した場合、コントローラー３から各ＩＤごとに警報出力のための制御信号を送出し、内部に設けられたバッテリー２４によって警報を出力する。そして、コントローラー３によって順次、野生動物を開放領域６に追い込むことによって、ハンターによって駆除できるようにする。
【００３３】
＜第三の実施の形態＞
【００３４】
第二の実施の形態のように、通信部２５でコントローラー３からの制御信号を受信する場合、数キロメートル離れた場所や、谷間などのように比較的電波の届きにくい場所では、正確に電波を受信することができない場合がある。このような場合は、図４に示すように、一カ所に設けられたコントローラー３からの制御信号を受信した警報装置２が、さらにそこからその制御信号を送信し、順次そのＩＤを有する警報装置２まで制御信号を送信させるようにする。そして、適合するＩＤを有する制御信号を受信した警報装置２は、周囲に対して「受信完了」した旨の信号を送信し、その制御信号の受信先サーチを停止させるようにする。このようにすれば、電波受信範囲内にある隣接する警報装置２から電波を受信することによって、遠方の警報装置２に対しても制御信号を送信させることができるようになる。
【００３５】
そして、同様に、コントローラー３からの制御信号によって、追い込み領域５に侵入した野生動物を開放領域６まで追い込んで駆除できるようにする。
【００３６】
＜第四の実施の形態＞
【００３７】
また、上記実施の形態では、オペレーターの目視確認で追い込み領域５に野生動物が入ったか否かを確認しているが、このような方法では、オペレーターが常時野生動物の侵入を監視しておかなければならず、しかも、夜間などのように暗い状況下ではその監視が困難になる。そこで、この実施の形態では、各警報装置２に野生動物の接近を検知する検知センサー２６を設け、この検知センサー２６によって追い込み領域５に野生動物が入った場合に、警報装置２から警報を出力させるようにしている。
【００３８】
まず、この検知センサー２６としては、野生動物の接近を検知するセンサーを用いるようにするが、山や森林などでは草花などの動きを検知してしまう可能性があるため、体温を検知できるような赤外線センサーなどを用いるとよい。そして、その検知センサー２６によって、野生動物の距離や方向などを検知できるようにする。具体的には、杭状部材２１の外周から放射方向に向かって複数の検知領域を有するように検知センサー２６を設け、隣接する杭状部材２１との間から追い込み領域５の方向に向かって野生動物が侵入したことを検知した場合、警報装置２から警報を出力できるようにする。なお、このように警報を出力する場合、複数で移動する野生動物が存在する場合、最初の一頭目で警報を鳴らすと、他の野生動物が逃げてしまう可能性がある。そこで、最初に野生動物が追い込み領域５に侵入したことを検知した場合、タイマーを起動させて、一定時間後に警報を出力させるようにする。
【００３９】
また、このように検知センサー２６を設けた場合、追い込み領域５から外へ移動してしまわないようにすることもできる。このような方法としては、例えば、図６に示すように、検知センサー２６が、追い込み領域５から外へ野生動物が移動することを検知した場合、これに対応して、瞬時に警報を出力するようにして追い込み領域５から外へ逃げてしまわないようにする。
【００４０】
なお、この実施の形態においても、第三の実施の形態のように、各警報装置２から順次コントローラー３からの制御信号を送信して、遠方の警報装置２に制御信号を届けるようにしておいてもよい。
【００４１】
＜第五の実施の形態＞
【００４２】
また、このように各警報装置２に送受信機を設けるようにした場合、スピーカー２２や光源２３からの出力をそれぞれの警報装置２に設けられたコントローラー３で制御することも可能である（図６参照）。例えば、所定の警報装置２と警報装置２の間に野生動物が侵入したことを検知センサー２６で検知した場合、まず、その警報装置２から警報を出力するとともに、警報を出力した旨の信号を隣接する警報装置２に出力する。そして、その信号を受信した隣の警報装置２では、一定時間後、警報を出力するとともに、以下同様に、隣接する警報装置２から警報を出力させるようにする。このように順次音や光を出力していくことによって、開放領域６に向かって野生動物を追い込むことができ、すべての警報装置２から同時に警報を鳴らした場合に比べて効率的に開放領域６に野生動物を追い込むことができるようになる。
【００４３】
このように上記実施の形態によれば、光や音などを出力する警報装置２と、当該警報装置２から出力される光や音をコントロールするコントローラー３とを備え、追い込み領域５を形成できるように複数の警報装置２を設置し、野生動物が当該追い込み領域５内に侵入したときに、開放領域６に野生動物を追い込むように光や音を前記コントローラー３で制御するようにしたので、比較的大型の野生動物や数頭で移動する野生動物などを一方向に追い込むことで、その方向に構えていたハンターなどで野生動物を効率的に駆除することができるようになる。
【００４４】
また、このようなシステム１において、警報装置２に、コントローラー３と、隣接する警報装置２から送信されてきた制御信号を送受信する通信部２５を備え、隣接する警報装置２から送信されてきた制御信号に基づいて光や音を前記コントローラー３で制御して出力するようにすれば、数百メートルや数キロに及ぶ広範囲にわたって領域を設定する場合であっても、隣接する警報装置２からの電波を受信することによってコントローラー３を制御することができ、それぞれにケーブル４を接続する必要がなくなる。
【００４５】
さらには、警報装置２に、野生動物の侵入を検知する検知センサー２６を備え、追い込み領域５内に野生動物が侵入したことを検知した後、一定時間後に前記警報装置２から光や音を出力するようにすれば、数頭で移動する野生動物などが追い込み領域５に入ってから追い込むことができるようになる。
【００４６】
加えて、警報装置２に、野生動物の接近を検知する検知センサー２６を備え、追い込み領域５内の野生動物が接近したことを検知した場合、警報装置２から光や音を出力するようにすれば、野生動物が追い込み領域５から外に出てしまうことを防止することができる。
【００４７】
なお、本発明は、上記実施の形態に限定されることなく、種々の態様で実施することができる。
【００４８】
例えば、上記実施の形態では、音や光で警報を出力するようにしたが、昼間などにおいては光の出力は効果的でないため、音だけで警報を出力させるようにしてもよい。また、このように音や光だけでなく、臭いなどを放出させたり、振動を与えたりして動物を追い込むようにしてもよい。
【００４９】
また、上記実施の形態では、杭状部材２１で地面から立設させるようにしたが、地表に直接設置できるようなものや、あるいは、地面に埋設させるようなものを用いてもよい。ただし、この場合、このような警報装置２を回収する際に、位置を把握しやすくしておくことが好ましい。
【００５０】
さらに、上記実施の形態では、開放領域６にハンターを待機させる場合を想定して説明したが、その開放領域６に捕獲器などを仕掛けて捕獲するようにしてもよい。
【符号の説明】
【００５１】
１・・・野生動物追い込みシステム
２・・・警報装置
２１・・・杭状部材
２２・・・スピーカー
２３・・・光源
２４・・・バッテリー
２５・・・通信部
２６・・・検知センサー
３・・・コントローラー
３１・・・操作部
４・・・ケーブル
５・・・追い込み領域
６・・・開放領域
【図１】
2015035979.tif 000003
【図２】
2015035979.tif 000004
【図３】
2015035979.tif 000005
【図４】
2015035979.tif 000006
【図５】
2015035979.tif 000007
【図６】
2015035979.tif 000008
【図７】
2015035979.tif 000009